(57)【要約】【課題】チャンネルを元チャンネルに自動復帰することができるテレビジョン受信装置において、ユーザにとって使い勝手がよいものとする。【解決手段】テレビジョン受信装置１において、所定の第１タイミングで、チューナ１１により受信されているテレビジョン放送信号のチャンネルに関する情報を元チャンネル情報として記憶し、所定の第２タイミングで、当該記憶されている元チャンネル情報を消去し、チューナ１１により受信されるテレビジョン放送信号のチャンネルが当該記憶されている元チャンネル情報に基づく元チャンネルから他のチャンネルに切り替わった時点からの経過時間が、予め設定された復帰時間に達したか否かを判定し、そして、当該元チャンネルから他のチャンネルに切り替わった時点からの経過時間が、復帰時間に達したと判定された場合に、当該元チャンネルに対応するテレビジョン放送信号をチューナ１１により受信するよう構成した。【選択図】図１
2008300928.tif 000002
【特許請求の範囲】
【請求項１】
テレビジョン放送信号を受信する受信手段を備えるテレビジョン受信装置において、
ユーザが、一のチャンネルを選局するための選局手段と、
前記選局手段により選局されたチャンネルに対応するテレビジョン放送信号を前記受信手段に受信させる受信制御手段と、
所定の第１タイミングで、前記受信手段により受信されているテレビジョン放送信号のチャンネルに関する情報を元チャンネル情報として記憶手段に記憶させる記憶制御手段と、
所定の第２タイミングで、前記記憶手段に記憶されている元チャンネル情報を消去する消去手段と、
前記受信手段により受信されるテレビジョン放送信号のチャンネルが前記記憶手段に記憶されている元チャンネル情報に基づく元チャンネルから他のチャンネルに切り替わった時点からの経過時間が、予め設定された復帰時間に達したか否かを判定する判定手段と、を備え、
前記受信制御手段は、前記判定手段によって、前記経過時間が、前記復帰時間に達したと判定された場合に、前記記憶手段に記憶されている元チャンネル情報に基づく元チャンネルに対応するテレビジョン放送信号を前記受信手段に受信させることを特徴とするテレビジョン受信装置。
【請求項２】
請求項１に記載のテレビジョン受信装置において、
前記受信手段により受信されるテレビジョン放送信号から、番組の放送終了時間に関する放送終了時間情報を含む番組情報を取得する取得手段を備え、
前記消去手段は、前記第２タイミングとして、前記取得手段により取得された放送終了時間情報に基づく放送終了時間のうちの前記記憶手段に記憶されている元チャンネル情報に基づく元チャンネルで放送されている番組の放送終了時間となるタイミングで、前記記憶手段に記憶されている元チャンネル情報を消去することを特徴とするテレビジョン受信装置。
【請求項３】
請求項２に記載のテレビジョン受信装置において、
前記取得手段により取得される番組情報は、番組の放送時間に関する放送時間情報を含み、
番組の放送時間に対応する所定時間を記憶する第２記憶手段と、
前記取得手段により取得された放送時間情報に基づく放送時間のうちの前記記憶手段に記憶されている元チャンネル情報に基づく元チャンネルで放送されている番組の放送時間に対応する所定時間を前記第２記憶手段から抽出する抽出手段と、を備え、
前記消去手段は、前記第２タイミングとして、前記取得手段により取得された放送終了時間情報に基づく放送終了時間のうちの前記記憶手段に記憶されている元チャンネル情報に基づく元チャンネルで放送されている番組の放送終了時間から、前記抽出手段により抽出された所定時間を引いた時間となるタイミングで、前記記憶手段に記憶されている元チャンネル情報を消去することを特徴とするテレビジョン受信装置。
【請求項４】
請求項１〜３の何れか一項に記載のテレビジョン受信装置において、
ユーザが、前記記憶手段に一の元チャンネル情報が記憶された時点から、当該一の元チャンネル情報が消去される時点までの記憶継続時間を入力するための入力手段を備え、
前記消去手段は、前記第２タイミングとして、前記記憶手段に元チャンネル情報が記憶された時点からの経過時間が、前記入力手段により入力された記憶継続時間に達するタイミングで、前記記憶手段に記憶されている元チャンネル情報を消去することを特徴とするテレビジョン受信装置。
【請求項５】
請求項１〜４の何れか一項に記載のテレビジョン受信装置において、
ユーザが、前記第２タイミングを指示するための指示手段を備え、
前記消去手段は、前記指示手段により指示された前記第２タイミングにて、前記記憶手段に記憶されている元チャンネル情報を消去することを特徴とするテレビジョン受信装置。
【請求項６】
請求項１〜５の何れか一項に記載のテレビジョン受信装置において、
ユーザが、前記第１タイミングを指示するための第２指示手段を備え、
前記記憶制御手段は、前記第２指示手段により指示された第１タイミングにて、前記元チャンネル情報を前記記憶手段に記憶させることを特徴とするテレビジョン受信装置。
【請求項７】
請求項１〜６の何れか一項に記載のテレビジョン受信装置において、
ユーザが、視聴予約番組を指定するための指定手段を備え、
前記受信制御手段は、前記指定手段により指定された視聴予約番組の放送開始時間になった場合に、当該視聴予約番組のチャンネルに対応するテレビジョン放送信号を前記受信手段に受信させ、
前記記憶制御手段は、前記第１タイミングとして、前記受信手段により前記視聴予約番組のチャンネルに対応するテレビジョン放送信号が受信されるタイミングで、前記元チャンネル情報を前記記憶手段に記憶させることを特徴とするテレビジョン受信装置。
【請求項８】
テレビジョン放送信号を受信する受信手段を備えるテレビジョン受信装置において、
ユーザが、一のチャンネルを選局するための選局手段と、
前記選局手段により選局されたチャンネルに対応するテレビジョン放送信号を前記受信手段に受信させる受信制御手段と、
前記受信手段により受信されるテレビジョン放送信号から、番組の放送終了時間に関する放送終了時間情報を含む番組情報を取得する取得手段と、
所定の第１タイミングで、前記受信手段により受信されているテレビジョン放送信号のチャンネルに関する情報を元チャンネル情報として記憶手段に記憶させる記憶制御手段と、
所定の第２タイミングで、前記記憶手段に記憶されている元チャンネル情報を消去する消去手段と、
前記受信手段により受信されるテレビジョン放送信号のチャンネルが前記記憶手段に記憶されている元チャンネル情報に基づく元チャンネルから他のチャンネルに切り替わった時点からの経過時間が、予め設定された復帰時間に達したか否かを判定する判定手段と、を備え、
前記受信制御手段は、前記判定手段によって、前記経過時間が、前記復帰時間に達したと判定された場合に、前記記憶手段に記憶されている元チャンネル情報に基づく元チャンネルに対応するテレビジョン放送信号を前記受信手段に受信させ、
前記消去手段は、前記第２タイミングとして、前記取得手段により取得された放送終了時間情報に基づく放送終了時間のうちの前記記憶手段に記憶されている元チャンネル情報に基づく元チャンネルで放送されている番組の放送終了時間となるタイミングで、前記記憶手段に記憶されている元チャンネル情報を消去することを特徴とするテレビジョン受信装置。
【発明の詳細な説明】
【技術分野】
【０００１】
本発明は、テレビジョン受信装置に関する。
【背景技術】
【０００２】
従来、テレビジョン受信装置において、あるチャンネル（元チャンネル）で放送されている番組の視聴中に、チャンネルを他のチャンネルに切り替えた場合、視聴者が、元チャンネルに戻すのを忘れてしまって元チャンネルで放送されている番組を見逃してしまう等の問題を解決するために、チャンネルを元チャンネルに自動復帰することができるテレビジョン受信装置が提案されている。
【０００３】
具体的には、例えば、視聴者の操作によるチャンネル変更後に、タイマーを始動し予め指定した時間経過後に、チャンネル変更前に視聴していた特定番組に戻るテレビジョン受信装置が提案されている（例えば、特許文献１参照）。
【０００４】
また、例えば、元チャンネルから移動した他のチャンネルの視聴時間を計測して、一定時間を計測した後に他のチャンネルから元チャンネルに復帰させたり、視聴中の元チャンネルにコマーシャルが放送されたことを検出したときに、コマーシャルが放送されていない他のチャンネルに切り替えて、その後、元チャンネルにコマーシャルが放送されていないことを検出したときに、他のチャンネルから元チャンネルに復帰させたりするテレビジョン受信装置が提案されている（例えば、特許文献２参照）。
【０００５】
また、第１チャンネルを受信中にコマーシャル放送になると第２チャンネルに手動的に移行させ、コマーシャル放送が終了すると第１チャンネル（元チャンネル）に自動的に復帰させるテレビジョン受信装置が提案されている（例えば、特許文献３参照）。
【特許文献１】特開平９−１３９８９２号公報
【特許文献２】特開２００３−８７６６７号公報
【特許文献３】実用新案登録第３０６４２５４号公報
【発明の開示】
【発明が解決しようとする課題】
【０００６】
しかしながら、特許文献１及び２には、チャンネルを元チャンネルに自動復帰する元チャンネル復帰モードを解除する技術が示されていない。元チャンネル復帰モードが解除されないと、例えば、ユーザ所望の番組が終了した後に、そのユーザ所望の番組が放送されていた元チャンネルに自動復帰してしまうことがあり、ユーザにとって使い勝手が悪い場合がある。
また、特許文献３には、元チャンネルで放送されている番組の表示中に、リモートコントローラの外面に設けられた数字キーを操作して元チャンネルのチャンネル番号が押下されると、元チャンネル復帰モードを解除する技術が示されているが、これでは、手動で元チャンネル復帰モードを解除することになって、ユーザにとって使い勝手が悪い場合がある。
【０００７】
本発明の課題は、チャンネルを元チャンネルに自動復帰することができるテレビジョン受信装置において、ユーザにとって使い勝手がよいものとすることにある。
【課題を解決するための手段】
【０００８】
上記課題を解決するために、請求項１に記載の発明は、
テレビジョン放送信号を受信する受信手段を備えるテレビジョン受信装置において、
ユーザが、一のチャンネルを選局するための選局手段と、
前記選局手段により選局されたチャンネルに対応するテレビジョン放送信号を前記受信手段に受信させる受信制御手段と、
所定の第１タイミングで、前記受信手段により受信されているテレビジョン放送信号のチャンネルに関する情報を元チャンネル情報として記憶手段に記憶させる記憶制御手段と、
所定の第２タイミングで、前記記憶手段に記憶されている元チャンネル情報を消去する消去手段と、
前記受信手段により受信されるテレビジョン放送信号のチャンネルが前記記憶手段に記憶されている元チャンネル情報に基づく元チャンネルから他のチャンネルに切り替わった時点からの経過時間が、予め設定された復帰時間に達したか否かを判定する判定手段と、を備え、
前記受信制御手段は、前記判定手段によって、前記経過時間が、前記復帰時間に達したと判定された場合に、前記記憶手段に記憶されている元チャンネル情報に基づく元チャンネルに対応するテレビジョン放送信号を前記受信手段に受信させることを特徴とする。
【０００９】
請求項２に記載の発明は、
請求項１に記載のテレビジョン受信装置において、
前記受信手段により受信されるテレビジョン放送信号から、番組の放送終了時間に関する放送終了時間情報を含む番組情報を取得する取得手段を備え、
前記消去手段は、前記第２タイミングとして、前記取得手段により取得された放送終了時間情報に基づく放送終了時間のうちの前記記憶手段に記憶されている元チャンネル情報に基づく元チャンネルで放送されている番組の放送終了時間となるタイミングで、前記記憶手段に記憶されている元チャンネル情報を消去することを特徴とする。
【００１０】
請求項３に記載の発明は、
請求項２に記載のテレビジョン受信装置において、
前記取得手段により取得される番組情報は、番組の放送時間に関する放送時間情報を含み、
番組の放送時間に対応する所定時間を記憶する第２記憶手段と、
前記取得手段により取得された放送時間情報に基づく放送時間のうちの前記記憶手段に記憶されている元チャンネル情報に基づく元チャンネルで放送されている番組の放送時間に対応する所定時間を前記第２記憶手段から抽出する抽出手段と、を備え、
前記消去手段は、前記第２タイミングとして、前記取得手段により取得された放送終了時間情報に基づく放送終了時間のうちの前記記憶手段に記憶されている元チャンネル情報に基づく元チャンネルで放送されている番組の放送終了時間から、前記抽出手段により抽出された所定時間を引いた時間となるタイミングで、前記記憶手段に記憶されている元チャンネル情報を消去することを特徴とする。
【００１１】
請求項４に記載の発明は、
請求項１〜３の何れか一項に記載のテレビジョン受信装置において、
ユーザが、前記記憶手段に一の元チャンネル情報が記憶された時点から、当該一の元チャンネル情報が消去される時点までの記憶継続時間を入力するための入力手段を備え、
前記消去手段は、前記第２タイミングとして、前記記憶手段に元チャンネル情報が記憶された時点からの経過時間が、前記入力手段により入力された記憶継続時間に達するタイミングで、前記記憶手段に記憶されている元チャンネル情報を消去することを特徴とする。
【００１２】
請求項５に記載の発明は、
請求項１〜４の何れか一項に記載のテレビジョン受信装置において、
ユーザが、前記第２タイミングを指示するための指示手段を備え、
前記消去手段は、前記指示手段により指示された前記第２タイミングにて、前記記憶手段に記憶されている元チャンネル情報を消去することを特徴とする。
【００１３】
請求項６に記載の発明は、
請求項１〜５の何れか一項に記載のテレビジョン受信装置において、
ユーザが、前記第１タイミングを指示するための第２指示手段を備え、
前記記憶制御手段は、前記第２指示手段により指示された第１タイミングにて、前記元チャンネル情報を前記記憶手段に記憶させることを特徴とする。
【００１４】
請求項７に記載の発明は、
請求項１〜６の何れか一項に記載のテレビジョン受信装置において、
ユーザが、視聴予約番組を指定するための指定手段を備え、
前記受信制御手段は、前記指定手段により指定された視聴予約番組の放送開始時間になった場合に、当該視聴予約番組のチャンネルに対応するテレビジョン放送信号を前記受信手段に受信させ、
前記記憶制御手段は、前記第１タイミングとして、前記受信手段により前記視聴予約番組のチャンネルに対応するテレビジョン放送信号が受信されるタイミングで、前記元チャンネル情報を前記記憶手段に記憶させることを特徴とする。
【００１５】
請求項８に記載の発明は、
テレビジョン放送信号を受信する受信手段を備えるテレビジョン受信装置において、
ユーザが、一のチャンネルを選局するための選局手段と、
前記選局手段により選局されたチャンネルに対応するテレビジョン放送信号を前記受信手段に受信させる受信制御手段と、
前記受信手段により受信されるテレビジョン放送信号から、番組の放送終了時間に関する放送終了時間情報を含む番組情報を取得する取得手段と、
所定の第１タイミングで、前記受信手段により受信されているテレビジョン放送信号のチャンネルに関する情報を元チャンネル情報として記憶手段に記憶させる記憶制御手段と、
所定の第２タイミングで、前記記憶手段に記憶されている元チャンネル情報を消去する消去手段と、
前記受信手段により受信されるテレビジョン放送信号のチャンネルが前記記憶手段に記憶されている元チャンネル情報に基づく元チャンネルから他のチャンネルに切り替わった時点からの経過時間が、予め設定された復帰時間に達したか否かを判定する判定手段と、を備え、
前記受信制御手段は、前記判定手段によって、前記経過時間が、前記復帰時間に達したと判定された場合に、前記記憶手段に記憶されている元チャンネル情報に基づく元チャンネルに対応するテレビジョン放送信号を前記受信手段に受信させ、
前記消去手段は、前記第２タイミングとして、前記取得手段により取得された放送終了時間情報に基づく放送終了時間のうちの前記記憶手段に記憶されている元チャンネル情報に基づく元チャンネルで放送されている番組の放送終了時間となるタイミングで、前記記憶手段に記憶されている元チャンネル情報を消去することを特徴とする。
【発明の効果】
【００１６】
本発明によれば、テレビジョン放送信号を受信する受信手段を備えるテレビジョン受信装置において、ユーザが、一のチャンネルを選局するための選局手段と、選局手段により選局されたチャンネルに対応するテレビジョン放送信号を受信手段に受信させる受信制御手段と、所定の第１タイミングで、受信手段により受信されているテレビジョン放送信号のチャンネルに関する情報を元チャンネル情報として記憶手段に記憶させる記憶制御手段と、受信手段により受信されるテレビジョン放送信号のチャンネルが記憶手段に記憶されている元チャンネル情報に基づく元チャンネルから他のチャンネルに切り替わった時点からの経過時間が、予め設定された復帰時間に達したか否かを判定する判定手段と、を備え、受信制御手段は、判定手段によって、経過時間が、復帰時間に達したと判定された場合に、記憶手段に記憶されている元チャンネル情報に基づく元チャンネルに対応するテレビジョン放送信号を受信手段に受信させることができ、そして、消去手段によって、所定の第２タイミングで、記憶手段に記憶されている元チャンネル情報を消去することができる。
すなわち、所定の第２タイミングで、自動的に、チャンネルを元チャンネルに自動復帰する元チャンネル復帰モードを解除できるため、ユーザにとって使い勝手がよい。
【発明を実施するための最良の形態】
【００１７】
以下、図を参照して、本発明にかかるテレビジョン受信装置の最良の形態を詳細に説明する。なお、発明の範囲は、図示例に限定されない。
【００１８】
［テレビジョン受信装置の構成］
テレビジョン受信装置１は、例えば、図１に示すように、アンテナ１１ａを有するチューナ１１と、信号復調部１２と、データ分離部１３と、デコード部１４と、ＯＳＤ回路１５と、音声出力部１６と、映像表示部１７と、操作部１８と、制御部１９と、などを備えて構成される。
【００１９】
チューナ１１は、制御部１９から入力される制御信号に従って、例えば、受信手段として、ユーザによる操作部１８の操作により選択された一の番組に関するテレビジョン放送信号を受信する。
具体的には、チューナ１１は、例えば、アンテナ１１ａにより受信されたテレビジョン放送波（例えば、デジタル方式のテレビジョン放送波）から、ユーザ所望の番組のチャンネルに対応する周波数帯域に存在するテレビジョン放送信号を受信して、信号復調部１２に出力する。
【００２０】
信号復調部１２は、制御部１９から入力される制御信号に従って、例えば、チューナ１１から入力されたテレビジョン放送信号に対してデジタル復調や誤り訂正などの所定の処理を施して、データ分離部１３に出力する。
【００２１】
データ分離部１３は、制御部１９から入力される制御信号に従って、信号復調部１２から入力されたテレビジョン放送信号を、音声データと、映像データと、ＳＩ情報と、などに分離する。そして、データ分離部１３は、当該分離した音声データや映像データをデコード部１４に出力するとともに、当該分離したＳＩ情報を制御部１９に出力する。
【００２２】
デコード部１４は、制御部１９から入力される制御信号に従って、データ分離部１３から入力された音声データにデコード等の所定の処理を施して、音声出力部１６に出力するとともに、データ分離部１３から入力された映像データにデコード等の所定の処理を施して、映像表示部１７に出力する。
【００２３】
ＯＳＤ回路１５は、制御部１９から入力される制御信号に従って、映像表示部１７に所定のオンスクリーンディスプレイ（ＯＳＤ）表示をさせるためのＯＳＤ表示信号を、デコード部１４から映像表示部１７に出力される映像データに合成する。
【００２４】
音声出力部１６は、例えば、スピーカ機器等であり、例えば、デコード部１４から出力された音声データに基づく音声を出力する。
【００２５】
映像表示部１７は、例えば、液晶表示機器等であり、例えば、デコード部１４から出力された映像データに基づく映像を表示したり、デコード部１４から出力されてＯＳＤ回路１５によりＯＳＤ表示信号が合成された映像データに基づく映像を表示したりする。
【００２６】
操作部１８は、例えば、テレビジョン受信装置１の外面に設けられた操作キー（図示省略）や、操作キーが設けられたテレビジョン受信装置１用のリモートコントローラ（図示省略）などから構成されており、例えば、ユーザにより操作されると、当該操作に伴う操作信号を制御部１９に出力する。
【００２７】
具体的には、操作部１８は、例えば、選局手段として、ユーザが、一のチャンネルを選局する際に操作される。
より具体的には、操作部１８には、例えば、「数字キー」などが設けられており、ユーザは、例えば、この「数字キー」を操作して、所望の番組のチャンネル番号を押下することによって、チャンネルを選局する。
【００２８】
また、操作部１８は、例えば、指定手段として、ユーザが、視聴予約番組を指定する際に操作される。
より具体的には、映像表示部１７には、例えば、電子番組案内（ＥＰＧ）画面がＯＳＤ表示されるようになっており、ユーザは、例えば、このＥＰＧ画面において、操作部１８を操作して視聴予約番組を指定するようになっている。
【００２９】
また、操作部１８は、例えば、第２指示手段として、ユーザが、第１タイミングを指示する際に操作される。
より具体的には、操作部１８には、例えば、「元チャンネル復帰モードキー」などが備えられており、ユーザは、例えば、この「元チャンネル復帰モードキー」を押下（短押し）することによって、第１タイミングを指示する。
ここで、第１タイミングとは、例えば、元チャンネル復帰モードを開始するタイミングである。
【００３０】
元チャンネル復帰モードとは、例えば、テレビジョン受信装置１の動作モードの１つであり、例えば、チューナ１１により受信されるテレビジョン放送信号のチャンネルが元チャンネルから他のチャンネルに切り替わった後、当該他のチャンネルに切り替わった時点からの経過時間が予め設定された復帰時間に達すると、チューナ１１により受信されるテレビジョン放送信号のチャンネルを当該他のチャンネルから当該元チャンネルに自動復帰させるモードである。
【００３１】
また、操作部１８は、例えば、指示手段として、ユーザが、第２タイミングを指示する際に操作される。
より具体的には、ユーザは、例えば、「元チャンネル復帰モードキー」を押下（長押し）することによって、第２タイミングを指示する。
ここで、第２タイミングとは、例えば、元チャンネル復帰モードを終了するタイミングである。
【００３２】
また、操作部１８は、例えば、入力手段として、ユーザが、元チャンネル情報記憶ファイル１９３ａ２に一の元チャンネル情報が記憶された時点から、当該一の元チャンネル情報が消去される時点までの記憶継続時間を入力する際に操作される。
ここで、元チャンネル情報記憶ファイル１９３ａ２に元チャンネル情報が記憶されている間、テレビジョン受信装置１の動作モードは元チャンネル復帰モードになる。したがって、記憶継続時間は、テレビジョン受信装置１の動作モードが元チャンネル復帰モードになった状態が継続される時間になる。
より具体的には、映像表示部１７には、例えば、所定のメニュー画面がＯＳＤ表示されるようになっており、ユーザは、例えば、この所定のメニュー画面において、操作部１８を操作して、記憶継続時間を入力するようになっている。
【００３３】
また、操作部１８は、例えば、ユーザが、復帰時間を設定する際に操作される。
ここで、復帰時間とは、例えば、チューナ１１により受信されるテレビジョン放送信号のチャンネルが元チャンネルから他のチャンネルに切り替わった時点から、チューナ１１により受信されるテレビジョン放送信号のチャンネルを当該他のチャンネルから当該元チャンネルに自動復帰させる時点までの時間である。
より具体的には、映像表示部１７には、例えば、所定のメニュー画面がＯＳＤ表示されるようになっており、ユーザは、例えば、この所定のメニュー画面において、操作部１８を操作して復帰時間を設定するようになっている。
【００３４】
制御部１９は、例えば、図１に示すように、ＣＰＵ（Central Processing Unit）１９１と、ＲＡＭ（Random Access Memory）１９２と、記憶部１９３と、計時部１９４と、などを備えている。
【００３５】
ＣＰＵ１９１は、例えば、記憶部１９３に記憶されたテレビジョン受信装置１用の各種処理プログラムに従って各種の制御動作を行う。
【００３６】
ＲＡＭ１９２は、例えば、ＣＰＵ１９１によって実行される処理プログラムなどを展開するためのプログラム格納領域や、入力データや上記処理プログラムが実行される際に生じる処理結果などを格納するデータ格納領域などを備える。
【００３７】
記憶部１９３は、例えば、テレビジョン受信装置１で実行可能なシステムプログラム、当該システムプログラムで実行可能な各種処理プログラム、これら各種処理プログラムを実行する際に使用されるデータ、ＣＰＵ１９１によって演算処理された処理結果のデータなどを記憶する。なお、プログラムは、コンピュータが読み取り可能なプログラムコードの形で記憶部１９３に記憶されている。
【００３８】
具体的には、記憶部１９３は、例えば、図１に示すように、イベント情報記憶ファイル１９３ａ１と、元チャンネル情報記憶ファイル１９３ａ２と、所定時間記憶ファイル１９３ａ３と、取得プログラム１９３ｂ１と、記憶制御プログラム１９３ｂ２と、抽出プログラム１９３ｂ３と、消去プログラム１９３ｂ４と、判定プログラム１９３ｂ５と、ＯＳＤ表示制御プログラム１９３ｂ６と、受信制御プログラム１９３ｂ７と、などを記憶している。
【００３９】
イベント情報記憶ファイル１９３ａ１は、例えば、現在視聴中の番組のイベント情報を記憶する。
ここで、イベント情報は、例えば、イベントＩＤ、ネットワーク名（地上／ＢＳ／ＣＳ）、３桁チャンネル番号、放送局名、放送時間帯（番組の放送終了時間に関する放送終了時間情報や、番組の放送時間に関する放送時間情報など）、イベント名などの情報である。
また、イベント情報記憶ファイル１９３ａ１は、例えば、３桁チャンネル番号で放送局を一意に区別できなくなる場合に、４桁目の番号（枝番）が付加されているときは、必要に応じて枝番も記憶するようになっている。
なお、イベント情報記憶ファイル１９３ａ１に記憶されるイベント情報は、例えば、テレビジョン放送信号に含まれる最新のＳＩ情報に基づいて、更新可能となっている。
【００４０】
元チャンネル情報記憶ファイル１９３ａ２は、例えば、記憶手段として、元チャンネル情報を記憶する。
ここで、元チャンネル情報は、例えば、チューナ１１により受信されているテレビジョン放送信号のチャンネルに関する情報であり、例えば、チャンネル番号等である。
【００４１】
所定時間記憶ファイル１９３ａ３は、例えば、第２記憶手段として、番組の放送時間に対応する所定時間を記憶する。
ここで、所定時間は、例えば、対応する番組の放送時間が長くなるにつれて、長くなるように設定された時間である。すなわち、所定時間記憶ファイル１９３ａ３には、例えば、番組の放送時間「３０分」に対応して所定時間「２分」、番組放送時間「６０分」に対応して所定時間「５分」、などが記憶されている。
【００４２】
取得プログラム１９３ｂ１は、例えば、チューナ１１により受信されるテレビジョン放送信号から、番組情報としてのイベント情報を取得して、イベント情報記憶ファイル１９３ａ１に記憶させる機能を、ＣＰＵ１９１に実現させる。
具体的には、ＣＰＵ１９１は、例えば、データ分離部１３で分離されたＳＩ情報からイベント情報を取得して、イベント情報記憶ファイル１９３ａ１に記憶させる。
ＣＰＵ１９１は、かかる取得プログラム１９３ｂ１を実行することによって、取得手段として機能する。
【００４３】
記憶制御プログラム１９３ｂ２は、例えば、所定の第１タイミングで、チューナ１１により受信されているテレビジョン放送信号のチャンネルに関する情報を元チャンネル情報として元チャンネル情報記憶ファイル１９３ａ２に記憶させる機能を、ＣＰＵ１９１に実現させる。
ここで、元チャンネル情報記憶ファイル１９３ａ２に元チャンネル情報が記憶されることによって、テレビジョン受信装置１の動作モードは、所定の動作モード（例えば、通常動作モード）から、元チャンネル復帰モードに切り替わるようになっている。
【００４４】
具体的には、ＣＰＵ１９１は、例えば、ユーザによる操作部１８の操作により指示された第１タイミングにて、すなわち、ユーザが「元チャンネル復帰モードキー」を短押したタイミングで、元チャンネル情報を元チャンネル情報記憶ファイル１９３ａ２に記憶させる。
【００４５】
また、ＣＰＵ１９１は、例えば、第１タイミングとして、チューナ１１により視聴予約番組のチャンネルに対応するテレビジョン放送信号が受信されるタイミングで、元チャンネル情報を元チャンネル情報記憶ファイル１９３ａ２に記憶させる。
ＣＰＵ１９１は、かかる記憶制御プログラム１９３ｂ２を実行することによって、記憶制御手段として機能する。
【００４６】
抽出プログラム１９３ｂ３は、例えば、取得プログラム１９３ｂ１を実行したＣＰＵ１９１により取得された放送時間情報に基づく放送時間のうちの、元チャンネル情報記憶ファイル１９３ａ２に記憶されている元チャンネル情報に基づく元チャンネルで放送されている番組の放送時間に対応する所定時間を所定時間記憶ファイル１９３ａ３から抽出する機能を、ＣＰＵ１９１に実現させる。
【００４７】
具体的には、ＣＰＵ１９１は、例えば、元チャンネルで放送されている番組の放送時間が「６０分」である場合には、当該放送時間（「６０分」）に対応する所定時間（例えば、「５分」）を所定時間記憶ファイル１９３ａ３から抽出する。
なお、イベント情報に、例えば、番組の放送時間に関する放送時間情報が含まれておらず、番組の放送開始時間に関する放送開始時間情報が含まれている場合は、放送終了時間情報に基づく放送終了時間から放送開始時間情報に基づく放送開始時間を引くことによって、番組の放送時間を得るとよい。
ＣＰＵ１９１は、かかる抽出プログラム１９３ｂ３を実行することによって、抽出手段として機能する。
【００４８】
消去プログラム１９３ｂ４は、例えば、所定の第２タイミングで、元チャンネル情報記憶ファイル１９３ａ２に記憶されている元チャンネル情報を消去する機能を、ＣＰＵ１９１に実現させる。
ここで、元チャンネル情報記憶ファイル１９３ａ２に記憶されている元チャンネル情報が消去されることによって、テレビジョン受信装置１の動作モードは、元チャンネル復帰モードから、所定の動作モード（例えば、通常動作モード）に切り替わるようになっている。
また、元チャンネル情報記憶ファイル１９３ａ２に記憶されている元チャンネル情報に基づく元チャンネルが、視聴予約された番組（視聴予約番組）のチャンネルである場合は、例えば、当該元チャンネル情報が元チャンネル情報記憶ファイル１９３ａ２から消去されると、当該視聴予約も解除されるようになっている。
【００４９】
具体的には、ＣＰＵ１９１は、例えば、第２タイミングとして、取得プログラム１９３ｂ１を実行したＣＰＵ１９１により取得された放送終了時間情報に基づく放送終了時間のうちの、元チャンネル情報記憶ファイル１９３ａ２に記憶されている元チャンネル情報に基づく元チャンネルで放送されている番組の放送終了時間となるタイミングで、元チャンネル情報記憶ファイル１９３ａ２に記憶されている元チャンネル情報を消去する。
【００５０】
また、ＣＰＵ１９１は、ユーザによる操作部１８の操作によって番組の放送終了時間よりも前に元チャンネル復帰モードを解除するよう指示されると、第２タイミングとして、取得プログラム１９３ｂ１を実行したＣＰＵ１９１により取得された放送終了時間情報に基づく放送終了時間のうちの、元チャンネル情報記憶ファイル１９３ａ２に記憶されている元チャンネル情報に基づく元チャンネルで放送されている番組の放送終了時間から、抽出プログラム１９３ｂ３を実行したＣＰＵ１９１により抽出された所定時間を引いた時間となるタイミングで、元チャンネル情報記憶ファイル１９３ａ２に記憶されている元チャンネル情報を消去する。
すなわち、ＣＰＵ１９１は、例えば、元チャンネルで放送されている番組の放送終了時間が「９時」であり、抽出プログラム１９３ｂ３を実行したＣＰＵ１９１により抽出された所定時間が「５分」である場合は、「８時５５分」になると、元チャンネル情報記憶ファイル１９３ａ２に記憶されている元チャンネル情報を消去する。
ここで、映像表示部１７には、例えば、所定のメニュー画面がＯＳＤ表示されるようになっており、ユーザは、例えば、この所定のメニュー画面において、操作部１８を操作して番組の放送終了時間よりも前に元チャンネル復帰モードを解除するよう指示するようになっている。
【００５１】
また、ＣＰＵ１９１は、例えば、取得プログラム１９３ｂ１を実行したＣＰＵ１９１によりイベント情報が取得できなかった等のために、イベント情報記憶ファイル１９３ａ１に元チャンネルで放送されている番組のイベント情報が記憶されていない場合は、第２タイミングとして、元チャンネル情報記憶ファイル１９３ａ２に元チャンネル情報が記憶された時点からの経過時間が、ユーザによる操作部１８の操作により入力された記憶継続時間に達するタイミングで、元チャンネル情報記憶ファイル１９３ａ２に記憶されている元チャンネル情報を消去する。
【００５２】
また、ＣＰＵ１９１は、例えば、ユーザによる操作部１８の操作により指示された第２タイミングにて、すなわち、ユーザが「元チャンネル復帰モードキー」を長押したタイミングで、元チャンネル情報記憶ファイル１９３ａ２に記憶されている元チャンネル情報を消去する。
ＣＰＵ１９１は、かかる消去プログラム１９３ｂ４を実行することによって、消去手段として機能する。
【００５３】
判定プログラム１９３ｂ５は、例えば、チューナ１１により受信されるテレビジョン放送信号のチャンネルが元チャンネル情報記憶ファイル１９３ａ２に記憶されている元チャンネル情報に基づく元チャンネルから他のチャンネルに切り替わった時点からの経過時間が、予め設定された復帰時間に達したか否かを判定する機能を、ＣＰＵ１９１に実現させる。
ＣＰＵ１９１は、かかる判定プログラム１９３ｂ５を実行することによって、判定手段として機能する。
【００５４】
ＯＳＤ表示制御プログラム１９３ｂ６は、例えば、ＯＳＤ回路１５に制御信号を入力して、映像表示部１７に所定のオンスクリーンディスプレイ（ＯＳＤ）表示をさせるためのＯＳＤ表示信号を、デコード部１４から映像表示部１７に出力される映像データに合成させる機能を、ＣＰＵ１９１に実現させる。
【００５５】
具体的には、ＣＰＵ１９１は、ＯＳＤ回路１５に制御信号を入力して、ＥＰＧ画面、所定のメニュー画面、元チャンネル復帰モードを解除する方法をユーザに提示するための「元チャンネル復帰モード解除方法提示画面」、元チャンネル復帰モードを解除してもよいか否かをユーザに選択させるための「元チャンネル復帰モード解除選択画面」、視聴予約を解除する方法をユーザに提示するための「視聴予約解除方法提示画面」、視聴予約を解除してもよいか否かをユーザに選択させるための「視聴予約解除選択画面」、元チャンネル情報記憶ファイル１９３ａ１に記憶されている元チャンネル情報に基づく元チャンネルで放送されている番組の放送終了時間よりも前に元チャンネル復帰モードを解除する際にその旨をユーザに提示するための「元チャンネル復帰モード解除確認画面」、などをＯＳＤ表示させるためのＯＳＤ表示信号を、デコード部１４から映像表示部１７に出力される映像データに合成させる。
【００５６】
ここで、「元チャンネル復帰モード解除方法提示画面」には、例えば、“「元チャンネル復帰モードキー」を長押しすると、元チャンネル復帰モードが解除されます”等が表示されるようになっている。
「視聴予約解除方法提示画面」には、例えば、“「元チャンネル復帰モードキー」を長押しすると、視聴予約が解除されます”等が表示されるようになっている。
また、「元チャンネル復帰モード解除選択画面」には、例えば、“元チャンネル復帰モードを解除しますか？”等が表示され、「元チャンネル復帰モード解除選択画面」においては、ユーザによる操作部１８の操作によって元チャンネル復帰モードを解除するか否かを選択できるようになっている。
また、「視聴予約解除選択画面」には、例えば、“視聴予約を解除しますか？”等が表示され、「視聴予約解除選択画面」においては、ユーザによる操作部１８の操作によって視聴予約を解除するか否かを選択できるようになっている。
また、「元チャンネル復帰モード解除確認画面」には、例えば、“元チャンネル復帰モードを解除します”等が表示されるようになっている。
【００５７】
受信制御プログラム１９３ｂ７は、例えば、ユーザによる操作部１８の操作により選局されたチャンネルに対応するテレビジョン放送信号をチューナ１１に受信させる機能を、ＣＰＵ１９１に実現させる。
【００５８】
また、受信制御プログラム１９３ｂ７は、例えば、ユーザによる操作部１８の操作により指定された視聴予約番組の放送開始時間になった場合に、当該視聴予約番組のチャンネルに対応するテレビジョン放送信号をチューナ１１に受信させる機能を、ＣＰＵ１９１に実現させる。
【００５９】
また、受信制御プログラム１９３ｂ７は、例えば、判定プログラム１９３ｂ５を実行したＣＰＵ１９１によって、チューナ１１により受信されるテレビジョン放送信号のチャンネルが元チャンネル情報記憶ファイル１９３ａ２に記憶されている元チャンネル情報に基づく元チャンネルから他のチャンネルに切り替わった時点からの経過時間が、復帰時間に達したと判定された場合に、当該元チャンネルに対応するテレビジョン放送信号をチューナ１１に受信させる機能を、ＣＰＵ１９１に実現させる。
ＣＰＵ１９１は、かかる受信制御プログラム１９３ｂ７を実行することによって、受信制御手段として機能する。
【００６０】
計時部１９４は、ＣＰＵ１９１から入力される制御信号に従って、所与の計時処理を行って、当該計時結果をＣＰＵ１９１に出力する。
【００６１】
［チャンネル復帰処理］
テレビジョン受信装置１による元チャンネルへの復帰に関する処理について、図２のフローチャートを参照して説明する。
【００６２】
まず、ＣＰＵ１９１は、第１タイミングになったか否かを判断する（ステップＳ１）。
具体的には、ＣＰＵ１９１は、ユーザによる操作部１８の操作により「元チャンネル復帰モードキー」が短押しされたか否かを判断する。
或いは、ＣＰＵ１９１は、チューナ１１により視聴予約番組のチャンネルに対応するテレビジョン放送信号が受信されたか否かを判断する。
【００６３】
ステップＳ１で、第１タイミングになっていないと判断すると（ステップＳ１；Ｎｏ）、ＣＰＵ１９１は、ステップＳ１の処理を繰り返して行う。
【００６４】
一方、ステップＳ１で、第１タイミングになったと判断すると（ステップＳ１；Ｙｅｓ）、ＣＰＵ１９１は、記憶制御プログラム１９３ｂ２を実行して、チューナ１１により受信されているテレビジョン放送信号のチャンネルに関する情報を元チャンネル情報として元チャンネル情報記憶ファイル１９３ａ２に記憶させる（ステップＳ２）。これにより、テレビジョン受信装置１の動作モードが、元チャンネル復帰モードに切り替わる。
【００６５】
次いで、ＣＰＵ１９１は、チューナ１１により受信されるテレビジョン放送信号のチャンネルが、元チャンネル情報記憶ファイル１９３ａ２に記憶されている元チャンネル情報に基づく元チャンネルから他のチャンネルに切り替わったか否かを判断する（ステップＳ３）。
【００６６】
ステップＳ３で、チューナ１１により受信されるテレビジョン放送信号のチャンネルが、元チャンネルから他のチャンネルに切り替わったと判断すると（ステップＳ３；Ｙｅｓ）、ＣＰＵ１９１は、判定プログラム１９３ｂ５を実行して、計時部１９４からの計時結果に基づいて、当該他のチャンネルに切り替わった時点からの経過時間が、予め設定された復帰時間に達したか否かを判定する（ステップＳ４）。
【００６７】
ステップＳ４で、当該他のチャンネルに切り替わった時点からの経過時間が、予め設定された復帰時間に達したと判断すると（ステップＳ４；Ｙｅｓ）、ＣＰＵ１９１は、受信制御プログラム１９３ｂ７を実行して、元チャンネルに対応するテレビジョン放送信号をチューナ１１に受信させることによって、元チャンネルに復帰させて（ステップＳ５）、ステップＳ３以降の処理を繰り返して行う。
【００６８】
一方、ステップＳ４で、当該他のチャンネルに切り替わった時点からの経過時間が、予め設定された復帰時間に達していないと判断すると（ステップＳ４；Ｎｏ）、ＣＰＵ１９１は、第２タイミングになったか否かを判断する（ステップＳ６）。
具体的には、ＣＰＵ１９１は、計時部１９４による計時結果に基づいて、元チャンネルで放送されている番組の放送終了時間になったか否かを判断する。
或いは、ユーザによる操作部１８の操作によって番組の放送終了時間よりも前に元チャンネル復帰モードを解除するよう指示されている場合は、ＣＰＵ１９１は、抽出プログラム１９３ｂ３を実行して、元チャンネルで放送されている番組の放送時間に対応する所定時間を抽出し、そして、計時部１９４による計時結果に基づいて、元チャンネルで放送されている番組の放送終了時間から、当該抽出された所定時間を引いた時間になったか否かを判断する。そして、当該抽出された所定時間を引いた時間になったと判断すると、ＣＰＵ１９１は、ＯＳＤ表示制御プログラム１９３ｂ６を実行して、「元チャンネル復帰モード解除確認画面」を映像表示部１７にＯＳＤ表示させる。
或いは、元チャンネルで放送されている番組のイベント情報がイベント情報記憶ファイル１９３ａ１に記憶されていない場合は、ＣＰＵ１９１は、計時部１９４による計時結果に基づいて、元チャンネル情報記憶ファイル１９３ａ２に元チャンネル情報が記憶された時点からの経過時間が、ユーザによる操作部１８の操作により入力された記憶継続時間に達したか否かを判断する。
或いは、ＣＰＵ１９１は、ユーザによる操作部１８の操作により「元チャンネル復帰モードキー」が長押しされたか否かを判断する。そして、「元チャンネル復帰モードキー」が長押しされたと判断すると、ＣＰＵ１９１は、ＯＳＤ表示制御プログラム１９３ｂ６を実行して、「元チャンネル復帰モード解除選択画面」、又は、元チャンネルで放送されている番組が視聴予約番組である場合には「視聴予約解除選択画面」を映像表示部１７にＯＳＤ表示させ、当該画面において、ユーザによる操作部１８の操作により元チャンネル復帰モード又は視聴予約を解除する旨が選択されたか否かを判断する。そして、ＣＰＵ１９１は、解除する旨が選択されるとステップＳ７の処理に移行し、解除しない旨が選択されるとステップＳ４以降の処理を繰り返して行う。
【００６９】
ステップＳ６で、第２タイミングになっていないと判断すると（ステップＳ６；Ｎｏ）、ＣＰＵ１８１は、ステップＳ４以降の処理を繰り返して行う。
【００７０】
一方、ステップＳ６で、第２タイミングになったと判断すると（ステップＳ６；Ｙｅｓ）、ＣＰＵ１９１は、消去プログラム１９３ｂ４を実行して、元チャンネル情報記憶ファイル１９３ａ２に記憶されている元チャンネル情報を消去して（ステップＳ７）、ステップＳ１以降の処理を繰り返して行う。これにより、元チャンネル復帰モードが解除されて、テレビジョン受信装置１の動作モードが、元チャンネル復帰モード以外の動作モード（例えば、通常動作モード）に切り替わる。また、元チャンネルで放送されていた番組が視聴予約番組であった場合は、視聴予約も解除される。
【００７１】
また、ステップＳ３で、チューナ１１により受信されるテレビジョン放送信号のチャンネルが、元チャンネルから他のチャンネルに切り替わっていないと判断すると（ステップＳ３；Ｎｏ）、ＣＰＵ１９１は、ユーザによる操作部１８の操作により「元チャンネル復帰モードキー」が短押しされたか否かを判断する（ステップＳ８）。
【００７２】
ステップＳ８で、「元チャンネル復帰モードキー」が短押しされたと判断すると（ステップＳ８；Ｙｅｓ）、ＣＰＵ１９１は、ＯＳＤ表示制御プログラム１９３ｂ６を実行して、「元チャンネル復帰モード解除方法提示画面」、又は、元チャンネルで放送されている番組が視聴予約番組である場合は「視聴予約解除方法提示画面」を映像表示部１７にＯＳＤ表示させ（ステップＳ９）、ステップＳ３以降の処理を繰り返して行う。
【００７３】
一方、ステップＳ８で、「元チャンネル復帰モードキー」が短押しされていないと判断すると（ステップＳ８；Ｎｏ）、ＣＰＵ１９１は、第２タイミングになったか否かを判断する（ステップＳ１０）。
【００７４】
ステップＳ１０で、第２タイミングになっていないと判断すると（ステップＳ１０；Ｎｏ）、ＣＰＵ１９１は、ステップＳ３以降の処理を繰り返して行う。
【００７５】
一方、ステップＳ１０で、第２タイミングになったと判断すると（ステップＳ１０；Ｙｅｓ）、ＣＰＵ１９１は、消去プログラム１９３ｂ４を実行して、元チャンネル情報記憶ファイル１９３ａ２に記憶されている元チャンネル情報を消去して（ステップＳ１３）、ステップＳ１以降の処理を繰り返して行う。
【００７６】
次に、テレビジョン受信装置１による元チャンネルへの復帰に関する処理の具体的な例について、図３〜図５の図を参照して説明する。
【００７７】
まず、図３に、元チャンネルで放送されている番組が視聴予約番組でなく、当該番組のイベント情報がイベント情報記憶ファイル１９３ａ１に記憶されている場合の一例を示す。なお、番組の放送終了時間よりも前に元チャンネル復帰モードを解除するよう指示されていないこととする。
【００７８】
図３によれば、まず、番組の放送中に「元チャンネル復帰モードキー」が短押しされると、ＣＰＵ１９１は、記憶制御プログラム１９３ｂ２を実行して、元チャンネル情報を元チャンネル情報記憶ファイル１９３ａ２に記憶させる。
【００７９】
そして、元チャンネル情報記憶ファイル１９３ａ２に元チャンネル情報が記憶されている間に「元チャンネル復帰モードキー」が短押しされると、ＣＰＵ１９１は、ＯＳＤ表示制御プログラム１９３ｂ６を実行して、「元チャンネル復帰モード解除方法提示画面」を映像表示部１７にＯＳＤ表示させる。
【００８０】
そして、他のチャンネルが選局されて、チューナ１１により受信されるテレビジョン放送信号のチャンネルが、元チャンネルから他のチャンネルに切り替わると、ＣＰＵ１９１は、計時部１９４に経過時間を計時させ、当該経過時間が復帰時間に達すると、受信制御プログラム１９３ｂ７を実行して、元チャンネルに対応するテレビジョン放送信号をチューナ１１に受信させることによって、元チャンネルに復帰させる。
【００８１】
そして、元チャンネル情報記憶ファイル１９３ａ２に元チャンネル情報が記憶されている間に「元チャンネル復帰モードキー」が長押しされると、ＣＰＵ１９１は、ＯＳＤ表示制御プログラム１９３ｂ６を実行して、「元チャンネル復帰モード解除選択画面」を映像表示部１７にＯＳＤ表示させる。
【００８２】
そして、ユーザによる操作部１８の操作により、元チャンネル復帰モードの解除が選択されると、ＣＰＵ１９１は、消去プログラム１９３ｂ４を実行して、元チャンネル情報記憶ファイル１９３ａ２に記憶されている元チャンネル情報を消去する。
【００８３】
そして、「元チャンネル復帰モードキー」が短押しされると、ＣＰＵ１９１は、記憶制御プログラム１９３ｂ２を実行して、元チャンネル情報を元チャンネル情報記憶ファイル１９３ａ２に記憶させ、元チャンネルで放送されている番組の放送終了時間になると、消去プログラム１９３ｂ４を実行して、元チャンネル情報記憶ファイル１９３ａ２に記憶されている元チャンネル情報を消去する。
【００８４】
次に、図４に、元チャンネルで放送されている番組が視聴予約番組であり、当該番組のイベント情報がイベント情報記憶ファイル１９３ａ１に記憶されている場合の一例を示す。なお、番組の放送終了時間よりも前に元チャンネル復帰モードを解除するよう指示されていないこととする。
【００８５】
図４によれば、まず、視聴予約番組の放送開始時間になると、ＣＰＵ１９１は、受信制御プログラム１９３ｂ７を実行して、視聴予約番組のチャンネルに対応するテレビジョン放送信号をチューナ１１に受信させるとともに、記憶制御プログラム１９３ｂ２を実行して、元チャンネル情報を元チャンネル情報記憶ファイル１９３ａ２に記憶させる。
【００８６】
そして、元チャンネル情報記憶ファイル１９３ａ２に元チャンネル情報が記憶されている間に「元チャンネル復帰モードキー」が短押しされると、ＣＰＵ１９１は、ＯＳＤ表示制御プログラム１９３ｂ６を実行して、「視聴予約解除方法提示画面」を映像表示部１７にＯＳＤ表示させる。
【００８７】
そして、他のチャンネルが選局されて、チューナ１１により受信されるテレビジョン放送信号のチャンネルが、元チャンネルから他のチャンネルに切り替わると、ＣＰＵ１９１は、計時部１９４に経過時間を計時させ、当該経過時間が復帰時間に達すると、受信制御プログラム１９３ｂ７を実行して、元チャンネルに対応するテレビジョン放送信号をチューナ１１に受信させることによって、元チャンネルに復帰させる。
【００８８】
そして、元チャンネル情報記憶ファイル１９３ａ２に元チャンネル情報が記憶されている間に「元チャンネル復帰モードキー」が長押しされると、ＣＰＵ１９１は、ＯＳＤ表示制御プログラム１９３ｂ６を実行して、「視聴予約解除選択画面」を映像表示部１７にＯＳＤ表示させる。
【００８９】
そして、ユーザによる操作部１８の操作により、視聴予約の解除が選択されると、ＣＰＵ１９１は、消去プログラム１９３ｂ４を実行して、元チャンネル情報記憶ファイル１９３ａ２に記憶されている元チャンネル情報を消去する。
【００９０】
そして、「元チャンネル復帰モードキー」が短押しされると、ＣＰＵ１９１は、記憶制御プログラム１９３ｂ２を実行して、元チャンネル情報を元チャンネル情報記憶ファイル１９３ａ２に記憶させ、元チャンネルで放送されている番組の放送終了時間になると、消去プログラム１９３ｂ４を実行して、元チャンネル情報記憶ファイル１９３ａ２に記憶されている元チャンネル情報を消去する。
【００９１】
次に、図５に、元チャンネルで放送されている番組が視聴予約番組でなく、当該番組のイベント情報がイベント情報記憶ファイル１９３ａ１に記憶されていない場合の一例を示す。なお、番組の放送終了時間よりも前に元チャンネル復帰モードを解除するよう指示されていないこととする。
【００９２】
図５によれば、まず、番組の放送中に「元チャンネル復帰モードキー」が短押しされると、ＣＰＵ１９１は、記憶制御プログラム１９３ｂ２を実行して、元チャンネル情報を元チャンネル情報記憶ファイル１９３ａ２に記憶させる。
【００９３】
そして、元チャンネル情報記憶ファイル１９３ａ２に元チャンネル情報が記憶されている間に「元チャンネル復帰モードキー」が短押しされると、ＣＰＵ１９１は、ＯＳＤ表示制御プログラム１９３ｂ６を実行して、「元チャンネル復帰モード解除方法提示画面」を映像表示部１７にＯＳＤ表示させる。
【００９４】
そして、他のチャンネルが選局されて、チューナ１１により受信されるテレビジョン放送信号のチャンネルが、元チャンネルから他のチャンネルに切り替わると、ＣＰＵ１９１は、計時部１９４に経過時間を計時させ、当該経過時間が復帰時間に達すると、受信制御プログラム１９３ｂ７を実行して、元チャンネルに対応するテレビジョン放送信号をチューナ１１に受信させることによって、元チャンネルに復帰させる。
【００９５】
そして、元チャンネル情報記憶ファイル１９３ａ２に元チャンネル情報が記憶されている間に「元チャンネル復帰モードキー」が長押しされると、ＣＰＵ１９１は、ＯＳＤ表示制御プログラム１９３ｂ６を実行して、「元チャンネル復帰モード解除選択画面」を映像表示部１７にＯＳＤ表示させる。
【００９６】
そして、ユーザによる操作部１８の操作により、元チャンネル復帰モードの解除が選択されると、ＣＰＵ１９１は、消去プログラム１９３ｂ４を実行して、元チャンネル情報記憶ファイル１９３ａ２に記憶されている元チャンネル情報を消去する。
【００９７】
そして、「元チャンネル復帰モードキー」が短押しされると、ＣＰＵ１９１は、記憶制御プログラム１９３ｂ２を実行して、元チャンネル情報を元チャンネル情報記憶ファイル１９３ａ２に記憶させ、この元チャンネル情報記憶ファイル１９３ａ２に元チャンネル情報が記憶された時点からの経過時間が、ユーザによる操作部１８の操作により入力された記憶継続時間に達すると、消去プログラム１９３ｂ４を実行して、元チャンネル情報記憶ファイル１９３ａ２に記憶されている元チャンネル情報を消去する。
【００９８】
以上説明した本発明のテレビジョン受信装置１によれば、ユーザが、一のチャンネルを選局するための操作部１８と、ユーザによる操作部１８の操作により選局されたチャンネルに対応するテレビジョン放送信号をチューナ１１に受信させる受信制御プログラム１９３ｂ７を実行したＣＰＵ１９１と、所定の第１タイミングで、チューナ１１により受信されているテレビジョン放送信号のチャンネルに関する情報を元チャンネル情報として元チャンネル情報記憶ファイル１９３ａ２に記憶させる記憶制御プログラム１９３ｂ２を実行したＣＰＵ１９１と、チューナ１１により受信されるテレビジョン放送信号のチャンネルが元チャンネル情報記憶ファイル１９３ａ２に記憶されている元チャンネル情報に基づく元チャンネルから他のチャンネルに切り替わった時点からの経過時間が、予め設定された復帰時間に達したか否かを判定する判定プログラム１９３ｂ５を実行したＣＰＵ１９１と、を備え、受信制御プログラム１９３ｂ７を実行したＣＰＵ１９１は、判定プログラム１９３ｂ５を実行したＣＰＵ１９１によって、チューナ１１により受信されるテレビジョン放送信号のチャンネルが元チャンネル情報憶ファイル１９３ａ２に記憶されている元チャンネル情報に基づく元チャンネルから他のチャンネルに切り替わった時点からの経過時間が、復帰時間に達したと判定された場合に、当該元チャンネルに対応するテレビジョン放送信号をチューナ１１に受信させることができ、そして、消去プログラム１９３ｂ４を実行したＣＰＵ１９１によって、所定の第２タイミングで、元チャンネル情報記憶ファイル１９３ａ２に記憶されている元チャンネル情報を消去することができる。
すなわち、所定の第２タイミングで、自動的に、元チャンネル復帰モードを解除できるため、ユーザにとって使い勝手がよい。
【００９９】
また、テレビジョン受信装置１によれば、チューナ１１により受信されるテレビジョン放送信号から、番組の放送終了時間に関する放送終了時間情報を含むイベント情報を取得する取得プログラム１９３ｂ１を実行したＣＰＵ１９１を備え、消去プログラム１９３ｂ４を実行したＣＰＵ１９１によって、第２タイミングとして、取得プログラム１９３ｂ１を実行したＣＰＵ１９１により取得された放送終了時間情報に基づく放送終了時間のうちの、元チャンネル情報記憶ファイル１９３ａ２に記憶されている元チャンネル情報に基づく元チャンネルで放送されている番組の放送終了時間となるタイミングで、元チャンネル情報記憶ファイル１９３ａ２に記憶されている元チャンネル情報を消去することができる。
すなわち、元チャンネルで放送されている番組の放送終了時間になると、自動的に元チャンネル復帰モードを解除することができるため、ユーザにとって使い勝手がよい。
特に、ユーザ所望の番組の放送終了時間が過ぎた後に、そのユーザ所望の番組が放送されていた元チャンネルに自動復帰してしまうことを防止することができることとなって、ユーザにとって使い勝手がよい。
【０１００】
また、テレビジョン受信装置１によれば、取得プログラム１９３ｂ１を実行したＣＰＵ１９１により取得されるイベント情報は、番組の放送時間に関する放送時間情報を含み、番組の放送時間に対応する所定時間を記憶する所定時間記憶ファイル１９３ａ３と、取得プログラム１９３ｂ１を実行したＣＰＵ１９１により取得された放送時間情報に基づく放送時間のうちの、元チャンネル情報記憶ファイル１９３ａ２に記憶されている元チャンネル情報に基づく元チャンネルで放送されている番組の放送時間に対応する所定時間を所定時間記憶ファイル１９３ａ３から抽出する抽出プログラム１９３ｂ３を実行したＣＰＵ１９１と、を備え、消去プログラム１９３ｂ４を実行したＣＰＵ１９１によって、第２タイミングとして、取得プログラム１９３ｂ１を実行したにより取得された放送終了時間情報に基づく放送終了時間のうちの、元チャンネル情報記憶ファイル１９３ａ２に記憶されている元チャンネル情報に基づく元チャンネルで放送されている番組の放送終了時間から、抽出プログラム１９３ｂ３を実行したＣＰＵ１９１により抽出された所定時間を引いた時間となるタイミングで、元チャンネル情報記憶ファイル１９３ａ２に記憶されている元チャンネル情報を消去することができる。
すなわち、元チャンネルで放送されている番組の放送終了時間から所定時間を引いた時間になると、自動的に元チャンネル復帰モードを解除することができるため、ユーザにとって使い勝手がよい。
ここで、番組の放送終了時間の間際には、番組が終了して次の番組が開始するまでコマーシャル放送になる。このような場合にまで、元チャンネルに自動復帰するメリットはない。したがって、所定時間として、番組が終了して次の番組が開始するまでのコマーシャル放送の時間を設定すると、ユーザ所望の番組が終了した後に、そのユーザ所望の番組が放送されていた元チャンネルに自動復帰してしまうことを防止することができることとなって、ユーザにとって使い勝手がよい。
【０１０１】
また、テレビジョン受信装置１によれば、ユーザによる操作部１８の操作によって、元チャンネル情報記憶ファイル１９３ａ２に一の元チャンネル情報が記憶された時点から、当該一の元チャンネル情報が消去される時点までの記憶継続時間を入力することができ、消去プログラム１９３ｂ４を実行したＣＰＵ１９１によって、第２タイミングとして、元チャンネル情報記憶ファイル１９３ａ２に元チャンネル情報が記憶された時点からの経過時間が、ユーザによる操作部１８の操作により入力された記憶継続時間に達するタイミングで、元チャンネル情報記憶ファイル１９３ａ２に記憶されている元チャンネル情報を消去することができる。
すなわち、ユーザにより入力された記憶継続時間に達すると、自動的に元チャンネル復帰モードを解除することができるため、ユーザにとって使い勝手がよい。
特に、元チャンネルで放送されている番組のイベント情報が取得できなかった場合であっても、自動的に元チャンネル復帰モードを解除することができるため、ユーザにとって使い勝手がよい。
【０１０２】
また、テレビジョン受信装置１によれば、ユーザによる操作部１８の操作によって、第２タイミングを指示することができ、消去プログラム１９３ｂ４を実行したＣＰＵ１９１によって、ユーザによる操作部１８の操作により指示された第２タイミングにて、元チャンネル情報記憶ファイル１９３ａ２に記憶されている元チャンネル情報を消去することができる。
すなわち、ユーザ所望のタイミングで、元チャンネル復帰モードを解除することができるため、ユーザにとって使い勝手がよい。
【０１０３】
また、テレビジョン受信装置１によれば、ユーザによる操作部１８の操作によって、第１タイミングを指示することができ、記憶制御プログラム１９３ｂ２を実行したＣＰＵ１９１によって、ユーザによる操作部１８の操作により指示された第１タイミングにて、元チャンネル情報を元チャンネル情報記憶ファイル１９３ａ２に記憶させることができる。
すなわち、ユーザ所望のタイミングで、元チャンネル復帰モードになるため、ユーザにとって使い勝手がよい。
【０１０４】
また、テレビジョン受信装置１によれば、ユーザによる操作部１８の操作によって、視聴予約番組を指定することができ、受信制御プログラム１９３ｂ７を実行したＣＰＵ１９１によって、ユーザによる操作部１８の操作により指定された視聴予約番組の放送開始時間になった場合に、当該視聴予約番組のチャンネルに対応するテレビジョン放送信号を前記受信手段に受信させることができ、記憶制御プログラム１９３ｂ２を実行したＣＰＵ１８１によって、第１タイミングとして、チューナ１１により視聴予約番組のチャンネルに対応するテレビジョン放送信号を受信されるタイミングで、元チャンネル情報を元チャンネル情報記憶ファイル１９３ａ２に記憶させることができる。
すなわち、視聴予約番組の放送が開始されたタイミングで、元チャンネル復帰モードになるため、ユーザにとって使い勝手がよい。
【０１０５】
なお、本発明は、上記した実施の形態のものに限るものではなく、その要旨を逸脱しない範囲で適宜変更可能である。
【０１０６】
アンテナ１１ａは、デジタル方式のテレビジョン放送波を受信する構成の限りではなく、アナログ方式のテレビジョン放送波を受信する構成であってもよい。この場合、イベント情報は取得できないため、第２タイミングとして、元チャンネル情報記憶ファイル１９３ａ２に元チャンネル情報が記憶された時点からの経過時間が、ユーザによる操作部１８の操作により入力された記憶継続時間に達するタイミングで、元チャンネル情報記憶ファイル１９３ａ１に記憶されている元チャンネル情報を消去することになる。
【０１０７】
ユーザが、第１タイミングを指示する方法は、「元チャンネル復帰モードキー」を短押しする限りではなく、操作部１８等を介して指示することができるのであれば任意である。
また、ユーザが、第２タイミングを指示する方法は、「元チャンネル復帰モードキー」を長押しする限りではなく、操作部１８等を介して指示することができるのであれば任意である。
【０１０８】
取得プログラム１９３ｂ１を実行したＣＰＵ１９１により取得される番組情報は、イベント情報に限ることはなく、番組の放送終了時間や放送時間に関する情報を含む情報であれば任意であり、例えば、ＥＰＧ情報などであってもよい。
【０１０９】
テレビジョン受信装置１による元チャンネルへの復帰に関する処理（図２）において、他のチャンネル（第１チャンネル）に切り替わった後、さらに他のチャンネル（第２チャンネル）に切り替わった場合であっても、他のチャンネルに切り替わった時点からの経過時間を更新することなく、当該経過時間が復帰時間に達するまで（或いは第２タイミングになるまで）カウントするようにしたが、例えば、他のチャンネル（第１チャンネル）に切り替わった後、さらに他のチャンネル（第２チャンネル）に切り替わると、他のチャンネルに切り替わった時点からの経過時間を更新して、改めて復帰時間に達するまでカウントするようにしてもよい。
【０１１０】
「元チャンネル復帰モードキー」が長押しされると、「元チャンネル復帰モード解除選択画面」や「視聴予約解除選択画面」を表示し、そして、「元チャンネル復帰モード解除選択画面」や「視聴予約解除選択画面」において、“解除”が選択されると、元チャンネル復帰モードや視聴予約を解除する構成としたが、「元チャンネル復帰モードキー」が長押しされると、「元チャンネル復帰モード解除選択画面」や「視聴予約解除選択画面」を表示することなく、元チャンネル復帰モードや視聴予約を解除する構成としてもよい。
【図面の簡単な説明】
【０１１１】
【図１】本発明にかかるテレビジョン受信装置の機能的構成を示すブロック図である。
【図２】テレビジョン受信装置による元チャンネルへの復帰に関する処理を説明するためのフローチャートである。
【図３】テレビジョン受信装置による元チャンネルへの復帰に関する処理の具体的な例であって、元チャンネルで放送されている番組が視聴予約番組でなく、当該番組のイベント情報がイベント情報記憶ファイルに記憶されている場合を説明するための図である。
【図４】テレビジョン受信装置による元チャンネルへの復帰に関する処理の具体的な例であって、元チャンネルで放送されている番組が視聴予約番組であり、当該番組のイベント情報がイベント情報記憶ファイルに記憶されている場合を説明するための図である。
【図５】テレビジョン受信装置による元チャンネルへの復帰に関する処理の具体的な例であって、元チャンネルで放送されている番組が視聴予約番組でなく、当該番組のイベント情報がイベント情報記憶ファイルに記憶されていない場合を説明するための図である。
【符号の説明】
【０１１２】
１  テレビジョン受信装置
１１  チューナ（受信手段）
１８  操作部（選局手段、入力手段、指示手段、第２指示手段、指定手段）
１９１  ＣＰＵ（取得手段、記憶制御手段、抽出手段、消去手段、判定手段、受信制御手段）
１９３ａ２  元チャンネル情報記憶ファイル（記憶手段）
１９３ａ３  所定時間記憶ファイル（第２記憶手段）
１９３ｂ１  取得プログラム（取得手段）
１９３ｂ２  記憶制御プログラム（記憶制御手段）
１９３ｂ３  抽出プログラム（抽出手段）
１９３ｂ４  消去プログラム（消去手段）
１９３ｂ５  判定プログラム（判定手段）
１９３ｂ７  受信制御プログラム（受信制御手段）
【図１】
2008300928.tif 000003
【図２】
2008300928.tif 000004
【図３】
2008300928.tif 000005
【図４】
2008300928.tif 000006
【図５】
2008300928.tif 000007